(57)【要約】【課題】部品点数を削減しつつ光学的な結合状態を良好に維持することが可能な光モジュール用ＦＯＴケース及び光モジュールを提供する。【解決手段】ＦＯＴケース３２は、ＦＯＴ６のパッケージ部９を収容・固定するためのパッケージ収容固定部３６を有する固定部３４と、この固定部３４の前面に一体化して光ファイバ４が差し込まれる筒形状の光ファイバ接続筒部３８と、固定部３４の前面を開口してパッケージ収容固定部３６の近傍となる光ファイバ接続筒部３８の後部４１を露出させるとともに、一部分が固定部３４を覆うシールドケース３３の板バネ状係止部４２、４２を引っ掛ける係止部４３として機能する穴部４０と、を含む。【選択図】図１
2008286894.tif 000002
【特許請求の範囲】
【請求項１】
ＦＯＴ（Fiber Optic Transceiver ）のパッケージ部を収容・固定するためのパッケージ収容固定部を有する固定部と、
該固定部の前面に一体化して光ファイバが差し込まれる筒形状の光ファイバ接続筒部と、
前記固定部の前面を開口して前記パッケージ収容固定部の近傍となる前記光ファイバ接続筒部の後部を露出させるとともに、一部分が前記固定部を覆うシールドケースの係止部分を引っ掛ける係止部として機能する穴部と、
を含む
ことを特徴とする光モジュール用ＦＯＴケース。
【請求項２】
請求項１に記載のＦＯＴケースと、
該ＦＯＴケースに収容・固定されるＦＯＴ（Fiber Optic Transceiver ）と、
前記ＦＯＴケースを覆って電磁ノイズ対策を施すとともに、前記ＦＯＴケースの穴部に引っ掛かり係止されるシールドケースと、
前記ＦＯＴケースの光ファイバ接続筒部に差し込まれるとともに、前記ＦＯＴケースの前記穴部を介して前記光ファイバ接続筒部にレーザー溶着される光ファイバと、
を備える
ことを特徴とする光モジュール。
【発明の詳細な説明】
【技術分野】
【０００１】
本発明は、電子部品をシールド部品で覆い回路基板に取り付ける電子部品モジュールに関連し、詳しくは、光コネクタやハイブリッドコネクタなどの光モジュール、ピッグテール型の光モジュールに関する発明である。また、この光モジュールに用いるＦＯＴケースに関する発明である。
【背景技術】
【０００２】
下記特許文献１に開示されたピッグテール型の光モジュールについて、以下、説明をする。図５（ａ）において、ピッグテール型の光モジュール１は、図示しないコネクタ部と、回路基板２に接続固定される受発光部３と、一端がコネクタ部に接続され他端が受発光部３に接続される中継用の光ファイバ４、４と、この光ファイバ４、４を保持・固定するための光ファイバ保持部品５とを備えて構成されている。
【０００３】
図５（ｂ）において、受発光部３は、発光素子を有する発光側ＦＯＴ（Fiber Optic Transceiver ）及び受光素子を有する受光側ＦＯＴ（図中では一つしか図示してないがこれらをＦＯＴ６とする）と、ＦＯＴ６を固定するためのＦＯＴケース７と、ＦＯＴ６及びＦＯＴケース７を覆って電磁ノイズ対策を施すシールドケース８とを備えて構成されている。ＦＯＴ６は、樹脂モールドされたパッケージ部９と、複数のリードフレーム１０とを有している。リードフレーム１０は、特に図示しないが４本あり、横一列に並んだ配置となっている（二つのＦＯＴ６によって、図中では８本横一列に並んでいる）。リードフレーム１０は、各々、回路基板２の接続用の穴に差し込まれて半田付けされ、所望の回路と接続されるようになっている。
【０００４】
ＦＯＴケース７は、ＦＯＴ６のパッケージ部９を固定する固定部１１と、各リードフレーム１０を差し込んで固定するリードフレーム固定部１２とを有している。尚、詳細に図示しないが、ＦＯＴケース７における引用符号１３で示す部分（光ファイバ接続筒部１３）には、光ファイバ４の前記他端が固定されてこの他端がＦＯＴ６の素子に対向するような構造になっている。固定部１１の前面には、凹状の係止部１４が形成されている。リードフレーム固定部１２は、櫛歯状の形状に形成されている。
【０００５】
ＦＯＴ６は、各リードフレーム１０がリードフレーム固定部１２によって固定され、また、ＦＯＴ６は、パッケージ部９の上部及び左右両側が固定部１１の上壁及び側壁、隔壁によって囲まれるような状態で固定されるようになっている。
【０００６】
シールドケース８は、箱状となる形状に形成されている。この箱状となる形状の部分は、上下に開口部を有しており、ＦＯＴ６を固定したＦＯＴケース７を上側開口部から内部に差し込んだ後に蓋部１５で覆うような構造になっている。蓋部１５は、上側開口部の縁部に連成されており、折り曲げを施すと上側開口部を覆うことができるような構造になっている（引用符号１６は蓋部１５の折り曲げ部分を示している。また、引用符号１７は蓋部１５を係止する係止部分を示している）。シールドケース８の内部に差し込まれたＦＯＴケース７は、シールドケース８の小さな板バネ状の係止部１８がＦＯＴケース７の凹状の係止部１４に引っ掛かることにより係止されるようになっている。
【０００７】
前記箱状となる形状の部分には、ピン状の基板接続部１９、２０、２１が形成されている。この基板接続部１９、２０、２１は、下側開口部の縁部に形成されており、ＦＯＴ６の複数のリードフレーム１０と同様、各々、回路基板２に差し込まれて半田付けされ、これにより接続固定されるようになっている。前記箱状となる形状の部分には、ＦＯＴ６のパッケージ部９の背面を押圧してこのＦＯＴ６を保持する押圧部２２、２２が形成されている（一つのみ図示）。
【特許文献１】特開２００５−９１４１６号公報
【発明の開示】
【発明が解決しようとする課題】
【０００８】
ところで、上記従来技術にあっては、光学的な結合状態を良好に維持するために、言い換えれば、光ファイバ４とＦＯＴ６の素子との間に生じる間隙が増大しないようにするために、また、光ファイバ４とＦＯＴ６との光軸のズレが発生しないようにするために、幾つかの部品からなる光ファイバ保持部品５を備える必要があることから、部品点数が多くなるという問題点を有している。
【０００９】
この他、光ファイバ保持部品５にあっては、ＦＯＴ６に近い部分を見ると、光ファイバ４を単に光ファイバ接続筒部１３に差し込んでいるだけの状態にしていることから、光軸のズレや若干の間隙増大が生じるという可能性を有している。
【００１０】
本発明は、上述した事情に鑑みてなされたもので、部品点数を削減しつつ光学的な結合状態を良好に維持することが可能な光モジュール用ＦＯＴケース及び光モジュールを提供することを課題とする。
【課題を解決するための手段】
【００１１】
上記課題を解決するためになされた請求項１記載の本発明の光モジュール用ＦＯＴケースは、ＦＯＴ（Fiber Optic Transceiver ）のパッケージ部を収容・固定するためのパッケージ収容固定部を有する固定部と、該固定部の前面に一体化して光ファイバが差し込まれる筒形状の光ファイバ接続筒部と、前記固定部の前面を開口して前記パッケージ収容固定部の近傍となる前記光ファイバ接続筒部の後部を露出させるとともに、一部分が前記固定部を覆うシールドケースの係止部分を引っ掛ける係止部として機能する穴部と、を含むことを特徴としている。
【００１２】
また、上記課題を解決するためになされた請求項２記載の本発明の光モジュールは、請求項１に記載のＦＯＴケースと、該ＦＯＴケースに収容・固定されるＦＯＴ（Fiber Optic Transceiver ）と、前記ＦＯＴケースを覆って電磁ノイズ対策を施すとともに、前記ＦＯＴケースの穴部に引っ掛かり係止されるシールドケースと、前記ＦＯＴケースの光ファイバ接続筒部に差し込まれるとともに、前記ＦＯＴケースの前記穴部を介して前記光ファイバ接続筒部にレーザー溶着される光ファイバと、を備えることを特徴としている。
【００１３】
このような特徴を有する本発明によれば、光ファイバを光ファイバ接続筒部の最適位置まで差し込んだ後、この状態から穴部を介して光ファイバを光ファイバ接続筒部にレーザー溶着すると、光ファイバのＦＯＴケースに対する固定が完了する。光ファイバを固定するための専用の部品を用いなくとも、光ファイバはＦＯＴの近傍で固定される。ＦＯＴの近傍での光ファイバの固定は、光ファイバの端面の位置を安定させることになる。
【００１４】
光ファイバを固定するとともにＦＯＴを収容・固定した状態のＦＯＴケースに、シールドケースを被せて電磁ノイズ対策を施し光モジュールを組み立てると、この組み立ての際に、シールドケースの係止部分がレーザー溶着に用いた穴部に引っ掛かりシールドケースとＦＯＴケースとの係止状態が形成される。この時、穴部はシールドケースの係止部分によって塞がれる。
【発明の効果】
【００１５】
本発明によれば、部品点数を削減しつつ光学的な結合状態を良好に維持することが可能な光モジュール用ＦＯＴケース及び光モジュールを提供することができるという効果を奏する。
【発明を実施するための最良の形態】
【００１６】
以下、図面を参照しながら説明する。図１は本発明の光モジュールの一実施の形態を示す断面図である。また、図２は受発光部の斜視図、図３はＦＯＴケースの斜視図、図４は光ファイバを固定した状態となるＦＯＴケースの断面図である。
【００１７】
図１において、特に限定するものではないが、ピッグテール型の光モジュールは、図示しない光コネクタ部と、回路基板（図５の引用符号２参照）の所定位置に接続固定される受発光部３１と、一端がコネクタ部に接続され他端が受発光部３１に接続される中継用の光ファイバ４とを備えて構成されている。受発光部３１は、発光素子を有する発光側ＦＯＴ（Fiber Optic Transceiver ）及び受光素子を有する受光側ＦＯＴ（これらをＦＯＴ６とする）と、このＦＯＴ６を保持・固定するためのＦＯＴケース３２と、ＦＯＴ６及びＦＯＴケース３２を覆って電磁ノイズ対策を施すシールドケース３３とを備えて構成されている（受発光部３１は、発光側ＦＯＴ又は受光側ＦＯＴの単独で構成しても良いものとする）。
【００１８】
本発明は、後述するが、特にＦＯＴケース３２に特徴がある。このＦＯＴケース３２の特徴によって部品点数の削減は勿論のこと、光学的な結合状態も良好に維持することができるようになる。以下、図１ないし図４を参照しながらＦＯＴケース３２などについて説明する（図１中のＰ方向を上下方向、Ｑ方向を左右方向、Ｒ方向を前後方向と定義する）。尚、ＦＯＴ６についてはパッケージ部９及び複数のリードフレーム１０を有する既知のものを用いるものとし、ここでは詳細な説明を省略する。光ファイバ４についても同様とする。
【００１９】
ＦＯＴケース３２は、絶縁性を有する合成樹脂材料を用いて成形される樹脂成形品であって、各ＦＯＴ６のパッケージ部９を収容して固定する固定部３４と、各ＦＯＴ６のリードフレーム１０を各々差し込んで固定するリードフレーム固定部３５、３５とを有している。固定部３４のパッケージ収容固定部３６、３６及びリードフレーム固定部３５、３５は、左右方向に並ぶように配置形成されている。パッケージ収容固定部３６、３６及びリードフレーム固定部３５、３５は、隔壁３７によって隔てられている。リードフレーム固定部３５、３５は、固定部３４の下部に連成されている。
【００２０】
固定部３４は、正面視略長方形状に形成されている。このような固定部３４の前面には、略筒状の光ファイバ接続筒部３８、３８が所定の長さで突出形成されている。光ファイバ接続筒部３８、３８は、固定部３４の前面に対して一体化するように形成されている。光ファイバ接続筒部３８、３８は、この後端面がパッケージ収容固定部３６、３６に収容・固定されたＦＯＴ６のパッケージ部９に当接するように形成されている。光ファイバ接続筒部３８、３８の光ファイバ差し込み部分は、光ファイバ４の直径よりも若干大きな径になるように貫通形成されている。
【００２１】
光ファイバ接続筒部３８、３８の外周面で上側には、円弧状の凸部３９、３９が形成されている。凸部３９、３９は、固定部３４の前面近傍となる位置に形成されている。このような凸部３９、３９は、固定部３４の前面とでシールドケース３３の前壁の一部を挟み込みこれを保持することができるように形成されている。
【００２２】
固定部３４の前面には、本発明の要旨となる穴部４０、４０が形成されている。穴部４０、４０は、固定部３４の前面を開口してパッケージ収容固定部３６、３６の近傍となる、言い換えれば各ＦＯＴ６の近傍となる、光ファイバ接続筒部３８、３８の後部４１、４１を露出させることができるように形成されている（後部４１、４１を臨むことができるように形成されている）。また、穴部４０、４０は、固定部３４を覆うシールドケース３３の板バネ状係止部４２、４２（係止部分）を引っ掛けて係止部４３、４３として機能するようにも形成されている。
【００２３】
穴部４０、４０は、この前方に光ファイバ接続筒部３８、３８の凸部３９、３９が存在するような位置に形成されている。穴部４０、４０は、凸部３９、３９が存在する状態で、図４中の矢印Ｓの方向から光ファイバ接続筒部３８、３８の後部４１、４１に対してレーザー溶着を施すことができるように形成されている。
【００２４】
本形態において、既知のＦＯＴ６を用いることから、固定部３４のパッケージ収容固定部３６、３６及びリードフレーム固定部３５、３５の各構造は、図５を参照しながら説明した従来例の固定部１１及びリードフレーム固定部１２と基本的に同じ構造になっている。
【００２５】
ＦＯＴケース３２は、固定部３４、リードフレーム固定部３５、及び光ファイバ接続筒部３８、３８の他に、弾性部４４、４４を有している。この弾性部４４、４４は、シールドケース３３で覆われた状態でガタ付きを抑える部分として機能するように形成されている。
【００２６】
弾性部４４、４４は、固定部３４の上部に形成されている。弾性部４４、４４は、これ自身が弾性変形することにより上下方向の付勢力が生じるような部分として形成されている。弾性部４４、４４は、本形態においてＦＯＴ６が二つあることから、各ＦＯＴ６に対応するように二つ形成されている。弾性部４４、４４は、各ＦＯＴ６の配置に合わせて形成されている（数及び配置は一例であるものとする。例えば、各ＦＯＴ６の間、すなわち固定部３４の上部略中央に弾性部を一つ形成することも可能である）。
【００２７】
弾性部４４、４４は、片持ちの板バネ形状に形成されている。この板バネ形状の弾性部４４、４４は、ＦＯＴケース３２を正面から見た場合に「ハ」字状となるように形成されている。弾性部４４、４４は、固定部３４の上部平面に対して初めから角度が付くように形成されている。
【００２８】
図１及び図２において、シールドケース３３は、導電性を有する金属板を打ち抜き、折り曲げ加工を施して、図示のような下側が開口する略箱状の形状に形成されている。シールドケース３３は、下側開口部及び上壁４５を有するとともに、左右の側壁４６、４６及び前後の側壁（前壁４７、後壁４８）を有する略箱状の形状に形成されている。シールドケース３３は、ＦＯＴ６を保持・固定した状態のＦＯＴケース３２を、下側開口部から上壁４５へ向けて差し込むことにより覆い、この差し込んだＦＯＴケース３２等を前壁４７の板バネ状係止部４２、４２にて係止するような構造に形成されている。板バネ状係止部４２、４２は、離脱方向での引っ掛かり合いとなるようにＦＯＴケース３２の穴部４０、４０の位置に合わせて形成されている。
【００２９】
シールドケース３３の前壁４７には、この内部に差し込まれるＦＯＴケース３２の各光ファイバ接続筒部３８、３８を通過させるための略Ｕ字状のスリット４９、４９が形成されている。各スリット４９、４９は、この一部が光ファイバ接続筒部３８、３８の凸部３９、３９と固定部３４の前面との間に挟み込まれて保持されるようになっている。
【００３０】
シールドケース３３の下側開口部には、基板接続部５０、５１、５２が形成されている。基板接続部５０、５１、５２は、図５を参照しながら説明した従来例の基板接続部１９、２０、２１と同じ位置及び形状で形成されている。
【００３１】
次に、上記の構成及び構造に基づきながら受発光部３１の組み立て作業等について説明する（作業説明は一例であるものとする）。
【００３２】
先ず、光ファイバ４、４を光ファイバ接続筒部３８、３８の最適位置まで差し込む作業を行う（図４参照）。次に、光ファイバ４、４を差し込んだ状態から、この光ファイバ４、４をＦＯＴケース３２にレーザー溶着する作業を行う（図４参照）。レーザー溶着は、ＦＯＴケース３２の穴部４０、４０を介してレーザー光線を光ファイバ接続筒部３８、３８の後部４１、４１に照射するような溶着となる（レーザー光線の照射方向は矢印Ｓを参照。Ａの部分がレーザー光線のエネルギーによって溶けて固定される）。
【００３３】
後部４１、４１にレーザー光線を照射してレーザー溶着することは、光学的な結合を行う位置に最も近い位置での固定となる。この位置ので固定は、光ファイバ４、４の端面位置がズレ難く安定するような固定となる。尚、特に限定するものでないが、本形態では、光ファイバ４、４の端面が光ファイバ接続筒部３８、３８の後端面と面一になり、また、光ファイバ４、４の端面が固定部３４のパッケージ収容固定部３６、３６に露出するような固定状態になる。
【００３４】
光ファイバ４、４を固定した状態で、次に、固定部３４のパッケージ収容固定部３６、３６にＦＯＴ６をそれぞれ収容・固定する作業を行う（図１及び図４参照）。各ＦＯＴ６を収容・固定すると、光軸のズレや間隙増大が生じないような状態となる光学的な結合部分が形成される。
【００３５】
最後に、光ファイバ４、４を固定するとともに各ＦＯＴ６を収容・固定した状態のＦＯＴケース３２に、シールドケース３３を被せて電磁ノイズ対策を施す作業を行うと、光モジュールにおける受発光部３１の組み立てに関する一連の作業が完了する（図１、図２、及び図４参照）。シールドケース３３をＦＯＴケース３２に被せると、シールドケース３３の板バネ状係止部４２、４２がレーザー溶着に用いた穴部４０、４０の係止部４３、４３に引っ掛かり、これによってシールドケース３３とＦＯＴケース３２との係止状態が形成される。この時、穴部４０、４０は、シールドケース３３の板バネ状係止部４２、４２によって塞がれるようになる。
【００３６】
以上、図１ないし図４を参照しながら説明してきたように、本発明によれば、例えば光ファイバ保持部品５（図５参照）のような幾つかの部品からなる光ファイバ固定専用の部品を備えなくとも光ファイバをより良い状態で固定することができる。また、光ファイバ４、４の固定を光学的な結合を行うＦＯＴ６、６の近傍ですることができる。
【００３７】
従って、本発明によれば、部品点数を削減しつつ光学的な結合状態を良好に維持することが可能なＦＯＴケース３２と、このＦＯＴケース３２を備える光モジュールとを提供することができるという効果を奏する。
【００３８】
その他、本発明は本発明の主旨を変えない範囲で種々変更実施可能なことは勿論である。
【図面の簡単な説明】
【００３９】
【図１】本発明の光モジュールの一実施の形態を示す断面図である。
【図２】受発光部の斜視図である。
【図３】ＦＯＴケースの斜視図である。
【図４】光ファイバを固定した状態となるＦＯＴケースの断面図である。
【図５】従来例の光モジュールの図であり、（ａ）は受発光部の斜視図、（ｂ）は受発光部の断面図である。
【符号の説明】
【００４０】
４  光ファイバ
６  ＦＯＴ（Fiber Optic Transceiver ）
９  パッケージ部
１０  リードフレーム
３１  受発光部
３２  ＦＯＴケース
３３  シールドケース
３４  固定部
３５  リードフレーム固定部
３６  パッケージ収容固定部
３７  隔壁
３８  光ファイバ接続筒部
３９  凸部
４０  穴部
４１  後部
４２  板バネ状係止部
４３  係止部
４４  弾性部
４５  上壁
４６  側壁
４７  前壁
４８  後壁
４９  スリット
５０、５１、５２  基板接続部
【図１】
2008286894.tif 000003
【図２】
2008286894.tif 000004
【図３】
2008286894.tif 000005
【図４】
2008286894.tif 000006
【図５】
2008286894.tif 000007